(57)【要約】【課題】シート状及びロール状の被記録物のいずれにも精度よく記録を行う記録装置の提供。【解決手段】被記録物に記録する記録ヘッドと、シート状の被記録物を支持するプラテンと、プラテン上にシート状の被記録物を搬送する搬送部と、プラテンと面一に設けられ、ロール状の被記録物の被記録面を記録ヘッドと対向する位置に支持した状態でロール状の被記録物を保持するロール保持部と、記録ヘッドを、プラテンと対向する位置、及びロール保持部と対向する位置の間で移動させるヘッド駆動部と、ヘッド駆動部に記録ヘッドをプラテン上に支持されているシート状の被記録物と対向する位置に移動させた状態で、シート状の被記録物に記録を行い、ヘッド駆動部に記録ヘッドをロール保持部と対向する位置に移動させた状態で、ロール状の被記録物に記録を行う制御部と、シート状の被記録物とロール状の被記録物とを排出する排出部とを備える。【選択図】図１
2006192665.tif 000002
【特許請求の範囲】
【請求項１】
ノズルからインクを噴射することにより被記録物に記録する記録ヘッドと、
前記記録ヘッドと対向する位置にシート状の被記録物を支持するプラテンと、
前記プラテン上に前記シート状の被記録物を搬送するシート搬送部と、
前記プラテンと面一に設けられ、ロール状の被記録物の被記録面を前記記録ヘッドと対向する位置に支持した状態で前記ロール状の被記録物を保持するロール保持部と、
前記記録ヘッドを、前記プラテンと対向する位置、及び前記ロール保持部と対向する位置の間で移動させるヘッド駆動部と、
前記ヘッド駆動部に前記記録ヘッドを前記プラテン上に支持されている前記シート状の被記録物と対向する位置に移動させた状態で、前記記録ヘッドに前記ノズルからインクを噴射させることにより前記シート状の被記録物に記録を行い、前記ヘッド駆動部に前記記録ヘッドを前記ロール保持部と対向する位置に移動させた状態で、前記記録ヘッドに前記ノズルからインクを噴射させることにより前記ロール状の被記録物に記録を行う制御部と、
前記シート状の被記録物と前記ロール状の被記録物とを前記記録ヘッドに対向する位置から排出する排出部と、
を備える記録装置。
【請求項２】
前記ロール保持部は、前記シート状の被記録物が前記プラテンに支持されている状態において、前記プラテンと共に前記シート状の被記録物を支持する位置に設けられており、
前記制御部は、前記ヘッド駆動部に、前記ロール保持部及び前記プラテンに支持されている前記シート状の被記録物上で前記記録ヘッドを往復運動させつつ、前記記録ヘッドに前記ノズルからインクを噴射させることによって、前記シート状の被記録物に記録を行う、請求項１に記載の記録装置。
【請求項３】
前記ロール保持部は、前記ロール状の被記録物の前記被記録面の一部を前記記録ヘッドと対向する位置に露出する開口部を有しており、
前記制御部は、前記ヘッド駆動部に、前記開口部と対向する位置に前記記録ヘッドを移動させた状態で、前記記録ヘッドに前記ノズルからインクを噴射させることによって、前記ロール状の被記録物に記録を行う、請求項２に記載の記録装置。
【請求項４】
直線状に配列された複数のノズルからインクを噴射することにより被記録物に記録する記録ヘッドと、
前記ノズルの前記配列と直交する方向である主走査方向に前記記録ヘッドを往復運動させるヘッド駆動部と、
前記記録ヘッドと対向する位置にシート状の被記録物を支持するプラテンと、
前記シート状の被記録物を、前記プラテン上において前記主走査方向と直交する副走査方向に搬送するシート搬送部と、
ロール状の被記録物の前記ロールの中心軸を前記副走査方向に向け、且つ被記録面を前記記録ヘッドと対向する位置に支持した状態で、前記ロール状の被記録物を保持するロール保持部と、
前記ロール保持部に保持されている前記ロール状の被記録物を、前記中心軸を中心に回転させることによって、前記ロール状の被記録物を前記主走査方向に搬送するロール搬送部と、
前記ヘッド駆動部に、前記記録ヘッドを前記シート状の被記録物上で前記主走査方向に往復運動させつつ、前記シート搬送部に、前記シート状の被記録物を前記副走査方向に搬送させると同時に、前記記録ヘッドに前記ノズルからインクを噴射させることによって、前記シート状の被記録物に記録を行い、前記ヘッド駆動部に、前記記録ヘッドを前記ロール状の被記録物と対向する位置で停止させた状態において、前記ロール搬送部に、前記ロール状の被記録物を前記主走査方向に搬送させると同時に、前記記録ヘッドに、前記ノズルからインクを噴射させることによって、前記ロール状の被記録物に記録を行う制御部と
を備える記録装置。
【請求項５】
前記ロール保持部は、前記シート状の被記録物が前記プラテンに支持されている状態において、前記プラテンと共に前記シート状の被記録物を支持する位置に設けられており、
前記制御部は、前記ヘッド駆動部に、前記ロール保持部及び前記プラテンに支持されている前記シート状の被記録物上で前記記録ヘッドを往復運動させつつ、前記記録ヘッドに前記ノズルからインクを噴射させることによって、前記シート状の被記録物に記録を行う、請求項４に記載の記録装置。
【請求項６】
前記ロール保持部は、前記ロール状の被記録物の前記被記録面の一部を前記記録ヘッドと対向する位置に露出する開口部を有しており、
前記制御部は、前記ヘッド駆動部に、前記開口部と対向する位置に前記記録ヘッドを移動させた状態で、前記記録ヘッドに前記ノズルからインクを噴射させることによって、前記ロール状の被記録物に記録を行う、請求項５に記載の記録装置。
【請求項７】
ロール状又はシート状の被記録物を記録領域まで搬送し、前記記録領域において記録が完了した前記被記録物を下流側に排出する記録装置であって、
前記記録領域よりも下流側に位置し、前記被記録物の裏面に当接して当該裏面を下流方向に送る方向に回転する排出駆動ローラと、
円周方向に沿って複数の突起を有し、当該複数の突起と前記排出駆動ローラとの間に前記被記録物をニップした状態で前記排出駆動ローラに連れ回る星形従動ローラと、
弾性体で形成された円柱状のローラであり、当該円柱状の外周と前記排出駆動ローラとの間に前記被記録物をニップした状態で前記排出駆動ローラに連れ回る弾性従動ローラと、
前記ロール状の被記録物を搬送する場合には、前記弾性従動ローラを前記排出駆動ローラに対して当接させることにより、前記排出駆動ローラと前記弾性従動ローラとの間で前記ロール状の被記録物をニップし、前記シート状の被記録物を搬送する場合には、前記弾性従動ローラを前記排出駆動ローラに対して離間させることにより、前記排出駆動ローラと前記星形従動ローラとの間で前記シート状の被記録物をニップするローラ切替部と、
前記排出駆動ローラ及び前記弾性従動ローラよりも下流側において、前記排出駆動ローラ及び前記弾性従動ローラにニップされている前記ロール状の被記録物を切断する切断部と
を備える記録装置。
【発明の詳細な説明】
【技術分野】
【０００１】
本発明は、シート状の被記録物及びロール状の被記録物のいずれにも記録を行うことができる記録装置に関する。
【背景技術】
【０００２】
従来、ロール状の被記録物であるロール紙とシート状の被記録物である普通紙のいずれにも記録を行うプリンタが提案されている。このプリンタは、普通紙を積載する用紙トレイの下方にロール紙のカセットを着脱可能に備えており、ロール紙及び普通紙を共通の搬送ローラで記録ヘッドと対向する位置まで搬送する（例えば、特許文献１参照。）。
【特許文献１】特開２００３−２６０８３３号公報
【発明の開示】
【発明が解決しようとする課題】
【０００３】
しかしながら上記のプリンタは、ロール紙への印刷が完了した後に普通紙を印刷する場合に、記録ヘッドと対向する位置まで搬送されているロール紙を、上流にセットされているカセットまで巻き取る必要があり、巻き取りに手間がかかるという課題があった。
【課題を解決するための手段】
【０００４】
上記課題を解決するために、本発明の第１の形態によれば、ノズルからインクを噴射することにより被記録物に記録する記録ヘッドと、記録ヘッドと対向する位置にシート状の被記録物を支持するプラテンと、プラテン上にシート状の被記録物を搬送するシート搬送部と、プラテンと面一に設けられ、ロール状の被記録物の被記録面を記録ヘッドと対向する位置に支持した状態でロール状の被記録物を保持するロール保持部と、記録ヘッドを、プラテンと対向する位置、及びロール保持部と対向する位置の間で移動させるヘッド駆動部と、ヘッド駆動部に記録ヘッドをプラテン上に支持されているシート状の被記録物と対向する位置に移動させた状態で、記録ヘッドにノズルからインクを噴射させることによりシート状の被記録物に記録を行い、ヘッド駆動部に記録ヘッドをロール保持部と対向する位置に移動させた状態で、記録ヘッドにノズルからインクを噴射させることによりロール状の被記録物に記録を行う制御部と、シート状の被記録物とロール状の被記録物とを記録ヘッドに対向する位置から排出する排出部とを備える記録装置が提供される。このような記録装置によれば、ロール保持部が記録ヘッドと対向する位置に設けられているので、ロール状の被記録物への記録が完了した後に、ロール状の被記録物を容易に巻き取ることができる。
【０００５】
上記の記録装置において、ロール保持部は、シート状の被記録物がプラテンに支持されている状態において、プラテンと共にシート状の被記録物を支持する位置に設けられており、制御部は、ヘッド駆動部に、ロール保持部及びプラテンに支持されているシート状の被記録物上で記録ヘッドを往復運動させつつ、記録ヘッドにノズルからインクを噴射させることによって、シート状の被記録物に記録を行ってもよい。このような記録装置によれば、ロール保持部をシート状の被記録物が搬送される範囲内に設けることにより装置の小型化が実現される。
【０００６】
上記の記録装置において、ロール保持部は、ロール状の被記録物の被記録面の一部を記録ヘッドと対向する位置に露出する開口部を有しており、制御部は、ヘッド駆動部に、開口部と対向する位置に記録ヘッドを移動させた状態で、記録ヘッドにノズルからインクを噴射させることによって、ロール状の被記録物に記録を行ってもよい。このような記録装置によれば、記録ヘッドがロール保持部の開口部を介して被記録物にインクを噴射するので、シート状の被記録物をロール保持部の上面に搬送する場合に、シート状の被記録物がロール状の被記録物に引っかかることがない。
【０００７】
本発明の第２の形態によれば、直線状に配列された複数のノズルからインクを噴射することにより被記録物に記録する記録ヘッドと、ノズルの配列と直交する方向である主走査方向に記録ヘッドを往復運動させるヘッド駆動部と、記録ヘッドと対向する位置にシート状の被記録物を支持するプラテンと、シート状の被記録物を、プラテン上において主走査方向と直交する副走査方向に搬送するシート搬送部と、ロール状の被記録物のロールの中心軸を副走査方向に向け、且つ被記録面を記録ヘッドと対向する位置に支持した状態で、ロール状の被記録物を保持するロール保持部と、ロール保持部に保持されているロール状の被記録物を、中心軸を中心に回転させることによって、ロール状の被記録物を主走査方向に搬送するロール搬送部と、ヘッド駆動部に、記録ヘッドをシート状の被記録物上で主走査方向に往復運動させつつ、シート搬送部に、シート状の被記録物を副走査方向に搬送させると同時に、記録ヘッドにノズルからインクを噴射させることによって、シート状の被記録物に記録を行い、ヘッド駆動部に、記録ヘッドをロール状の被記録物と対向する位置で停止させた状態において、ロール搬送部に、ロール状の被記録物を主走査方向に搬送させると同時に、記録ヘッドに、ノズルからインクを噴射させることによって、ロール状の被記録物に記録を行う制御部とを備える記録装置が提供される。このような記録装置によれば、ロール状の被記録物に記録を行う場合に記録ヘッドを往復運動させる必要がないので、動作音が低減すると共に記録速度が向上する。
【０００８】
上記の記録装置において、ロール保持部は、シート状の被記録物がプラテンに支持されている状態において、プラテンと共にシート状の被記録物を支持する位置に設けられており、制御部は、ヘッド駆動部に、ロール保持部及びプラテンに支持されているシート状の被記録物上で記録ヘッドを往復運動させつつ、記録ヘッドにノズルからインクを噴射させることによって、シート状の被記録物に記録を行ってもよい。このような記録装置によれば、ロール保持部をシート状の被記録物が搬送される範囲内に設けることにより装置の小型化が実現される。
【０００９】
上記の記録装置において、ロール保持部は、ロール状の被記録物の被記録面の一部を記録ヘッドと対向する位置に露出する開口部を有しており、制御部は、ヘッド駆動部に、開口部と対向する位置に記録ヘッドを移動させた状態で、記録ヘッドにノズルからインクを噴射させることによって、ロール状の被記録物に記録を行ってもよい。このような記録装置によれば、記録ヘッドがロール保持部の開口部を介して被記録物にインクを噴射するので、シート状の被記録物をロール保持部の上面に搬送する場合に、シート状の被記録物がロール状の被記録物に引っかかることがない。
【００１０】
本発明の第３の形態によれば、ロール状又はシート状の被記録物を記録領域まで搬送し、記録領域において記録が完了した被記録物を下流側に排出する記録装置であって、記録領域よりも下流側に位置し、被記録物の裏面に当接して当該裏面を下流方向に送る方向に回転する排出駆動ローラと、円周方向に沿って複数の突起を有し、当該複数の突起と排出駆動ローラとの間に被記録物をニップした状態で排出駆動ローラに連れ回る星形従動ローラと、弾性体で形成された円柱状のローラであり、当該円柱状の外周と排出駆動ローラとの間に被記録物をニップした状態で排出駆動ローラに連れ回る弾性従動ローラと、ロール状の被記録物を搬送する場合には、弾性従動ローラを排出駆動ローラに対して当接させることにより、排出駆動ローラと弾性従動ローラとの間でロール状の被記録物をニップし、シート状の被記録物を搬送する場合には、弾性従動ローラを排出駆動ローラに対して離間させることにより、排出駆動ローラと星形従動ローラとの間でシート状の被記録物をニップするローラ切替部と、排出駆動ローラ及び弾性従動ローラよりも下流側において、排出駆動ローラ及び弾性従動ローラにニップされているロール状の被記録物を切断する切断部とを備える記録装置が提供される。
このような記録装置によれば、シート状の被記録物を搬送する場合には、星形従動ローラの複数の突起で被記録物の被記録面に当接するので、記録後の被記録面を汚しにくい。一方で、ロール状の被記録物を搬送する場合には、排出駆動ローラ及び弾性従動ローラでロール状の被記録物をニップするので、ロール状の被記録物を切断する場合に、被記録物が滑りにくい。従ってロール状の被記録物を切断部で容易に切断することができる。
【００１１】
なお、上記の発明の概要は、本発明の必要な特徴の全てを列挙したものではなく、これらの特徴群のサブコンビネーションもまた、発明となりうる。
【発明を実施するための最良の形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１、図２、及び図３は、記録装置の第１実施例であるインクジェット式記録装置１０ａの構造を示す。図１は、インクジェット式記録装置１０ａの斜視図を示す。図２はインクジェット式記録装置１０の長手方向の中央付近における断面を示す。また、図３は、インクジェット式記録装置１０ａをカートリッジ２００の位置で長手方向に垂直に切断した断面図である。なお、図２において、インクジェット式記録装置１０は、記録中のシート状被記録物１１と共に図示している。同様に、図３において、インクジェット式記録装置１０は、記録中のロール状被記録物２０２と共に図示している。
【００１４】
インクジェット式記録装置１０は、複数のシート状被記録物１１を保持する被記録物トレイ１２、被記録物トレイ１２から押し出されたシート状被記録物１１を給送する給送部２０、給送部２０が給送したシート状被記録物１１をインク噴射領域に搬送する搬送部３０、インク噴射領域においてシート状被記録物１１に記録を行う記録部４０、シート状被記録物１１をインク噴射領域から排出する排出部５０、ステップモータ６０、及びインクジェット式記録装置１０全体を制御する制御部８０を備える。被記録物トレイ１２は、被記録物トレイ１２に載置されているシート状被記録物１１を押し出す不図示のホッパを有する。
【００１５】
給送部２０は、給送ローラ２２、及び給送ローラ２２に連れ回るリタードローラ２４を有する。給送ローラ２２とリタードローラ２４は、ホッパによって被記録物トレイ１２から押し出されたシート状被記録物１１の束のうち、最上位に位置するシート状被記録物１１を互いの間に挟み、シート状被記録物１１を一つずつ搬送部３０に搬送する。
【００１６】
搬送部３０は、ステップモータ６０により回転する搬送ローラ３２、及び搬送ローラ３２に連れ回る搬送従動ローラ３４を有する。搬送ローラ３２は、給送部２０が給送したシート状被記録物１１を搬送従動ローラ３４との間に挟んで回転し、シート状被記録物１１をプラテン１００上面のインク噴射領域に搬送する。搬送部３０は、シート搬送部の一例である。
【００１７】
記録部４０は、図１に示すキャリッジ４２、記録ヘッド４４、タイミングベルト４７、及びキャリッジ４２を移動させるモータ４８を有する。さらに、シート状被記録物１１の給送方向に対して略垂直な方向である主走査方向にキャリッジ４２をスライド可能に支持するガイド板４６を有する。
【００１８】
排出部５０は、ステップモータ６０により回転する排出ローラ５２、及び排出ローラ５２に連れ回る排出従動ローラ５４を有する。排出ローラ５２は、排出従動ローラ５４との間に記録後のシート状被記録物１１を挟んで回転し、インク噴射領域から排出する。
【００１９】
なお、搬送ローラ３２及び排出ローラ５２には、ステップモータ６０から一本のベルト６２を介して動力が伝達される。ベルト６２には、テンショナー６４により張力が与えられている。ステップモータ６０、テンショナー６４、搬送ローラ３２、及び排出ローラ５２は、ベルトの流れ方向においてこの順に配列される。
【００２０】
上記の構成において、制御部８０は、キャリッジ４２をガイド板４６に沿って往復させつつ記録ヘッド４４の複数のノズルからインクを吐出させる。記録ヘッド４４は複数のノズルのそれぞれから選択的にインクを噴射することにより、被記録物にパターンを記録する。制御部８０は、キャリッジ４２が一走査する毎に搬送部３０にシート状被記録物１１を搬送させることで、シート状被記録物１１の全体に記録を行う。なお、インクジェット式記録装置１０は、記録ヘッド４４の往路及び復路の双方で記録を行う場合もあるし、一方だけで記録を行う場合もある。
【００２１】
プラテン１００は、記録ヘッド４４と対向する位置にシート状被記録物１１を支持する。カートリッジ２００は、プラテン１００と面一に設けられ、ロール状被記録物２０２の被記録面を記録ヘッド４４と対向する位置に支持した状態でロール状被記録物２０２を保持する。ロール状被記録物２０２は、例えば裏面に粘着剤が塗布されているロール状のラベルである。カートリッジ２００は、図３に示すように、ロール軸２０６を中心に巻き取られているロールと、ロールから引き出されたロール状被記録物２０２を記録ヘッド４４と対向する位置に平坦に支持する少なくとも２本のガイド軸とを有している。カートリッジ２００は、インクジェット式記録装置１０に対して着脱可能に設けられている。モータ４８は、記録ヘッド４４を、プラテン１００と対向する位置、及びカートリッジ２００と対向する位置の間で移動させる。制御部８０は、被記録物の種類を指定する設定情報を、例えばパーソナルコンピュータ等の入力装置から取得する。制御部８０は、当該設定情報に基づいてシート状被記録物１１に記録を行うか、ロール状被記録物２０２に記録を行うかを判断する。シート状被記録物１１に記録を行う場合、制御部８０は、モータ４８を制御して、プラテン１００上に支持されているシート状被記録物１１と対向する位置に記録ヘッド４４を移動させる。この状態で、記録ヘッド４４にノズルからインクを噴射させてシート状被記録物１１への記録を実行する。
【００２２】
一方、ロール状被記録物２０２に記録を行う場合、制御部８０は、モータ４８を制御して、カートリッジ２００と対向する位置に記録ヘッド４４を移動させる。この状態で、記録ヘッド４４にノズルからインクを噴射させることにより、ロール状被記録物２０２への記録を実行する。このような構成によりインクジェット式記録装置１０ａは、シート状被記録物１１及びロール状被記録物２０２のいずれにも記録を行うことができる。このようなインクジェット式記録装置１０ａによれば、カートリッジ２００が記録ヘッド４４と対向する位置に設けられているので、ロール状被記録物２０２への記録が完了した後に、ロール状被記録物２０２をカートリッジ２００に容易に巻き取ることができる。尚、モータ４８は、ヘッド駆動部の一例である。カートリッジ２００は、ロール保持部の一例である。
【００２３】
カートリッジ２００は、シート状被記録物１１がプラテン１００に支持されている状態において、プラテン１００と共にシート状被記録物１１を支持する位置に設けられている。そして、制御部８０は、モータ４８を制御して、カートリッジ２００及びプラテン１００に支持されているシート状被記録物１１上で記録ヘッド４４を往復運動させつつ、記録ヘッド４４にノズルからインクを噴射させる。このようにして、インクジェット式記録装置１０ａは、シート状被記録物１１に記録を行う。このように、カートリッジ２００をシート状被記録物１１が搬送される範囲内に設けることにより、インクジェット式記録装置１０ａの小型化が実現される。
【００２４】
なお、カートリッジ２００は、ロール状被記録物２０２の被記録面の一部を記録ヘッド４４と対向する位置に露出する開口部２０４を有している。制御部８０は、モータ４８を制御して開口部２０４と対向する位置に記録ヘッド４４を移動させた状態で、記録ヘッド４４を制御してノズルからインクを噴射させることにより、ロール状被記録物２０２に記録を行う。このように、記録ヘッド４４がカートリッジ２００の開口部２０４を介して被記録物にインクを噴射するので、シート状被記録物１１をカートリッジ２００の上面に搬送する場合に、シート状被記録物１１がロール状被記録物２０２に引っかかることがない。
【００２５】
次に、図２、図３、及び図４を参照しながら、ローラ切替部２１０の構成及び動作を説明する。図２及び図３に示すように、排出ローラ５２は、記録ヘッド４４よりも下流側に位置し、シート状被記録物１１及びロール状被記録物２０２の裏面に当接する。排出ローラ５２の外周は、ゴム等の滑りにくい材料で形成されている。排出ローラ５２は、シート状被記録物１１及びロール状被記録物２０２を下流に搬送する方向に回転する。排出ローラ５２は、排出駆動ローラの一例である。図２に示す排出従動ローラ５４は、円周方向に沿って図示しない複数の突起を有し、当該複数の突起と排出ローラ５２との間にシート状被記録物１１をニップした状態で排出ローラ５２に連れ回る。排出従動ローラ５４は、硬質樹脂又は金属等の硬質材料で構成されている。排出従動ローラ５４は、星形従動ローラの一例である。
一方、図３に示すゴムローラ３００は、軟質エラストマ又はゴムなどの弾性体で形成された円柱状のローラである。ゴムローラ３００は、弾性従動ローラの一例である。ゴムローラ３００は、円柱状の外周と排出ローラ５２との間にロール状被記録物２０２をニップした状態で排出ローラ５２に連れ回る。
【００２６】
図４は、ローラ切替部２１０の概念図を示す。図３に示すように、制御部８０は、被記録物の種類を指定する設定情報を、外部の入力装置から取得する。制御部８０は、当該設定情報に基づいてシート状被記録物１１に記録を行うか、ロール状被記録物２０２に記録を行うかを判断し、判断結果をローラ切替部２１０に通知する。ローラ切替部２１０は、ロール状被記録物２０２に記録する旨の通知を受けると、ゴムローラ３００を排出ローラ５２に対して当接させる。例えば、ゴムローラ３００のローラ軸３０２を排出ローラ５２の方向に付勢する付勢手段３１０と、ローラ軸３０２を付勢手段３１０の付勢力に抗して排出ローラ５２から離間する方向に押し上げる押上部２１２とを更に有している。付勢手段３１０は例えばコイルバネであり、ローラ軸３０２と反対側の一端を、フレーム２０９に固定されている。フレーム２０９は、ゴムローラ３００を支持している。他の実施例として、上記のローラ切替部２１０及び押上部２１２に代えて、シート状被記録物１１が搬送部３０によって搬送される場合に、シート状被記録物１１によって押し上げられる付図示のレバーと、当該レバーが押し上げられる場合に、所定のリンク機構によってゴムローラ３００の軸を押し上げる押し上げ機構を備えてもよい。
【００２７】
ローラ切替部２１０は、排出ローラ５２がロール状被記録物２０２を排出する場合に、ゴムローラ３００を排出ローラ５２に当接させることにより、排出ローラ５２とゴムローラ３００との間でロール状被記録物２０２をニップする。一方、排出ローラ５２がシート状被記録物１１を搬送する場合には、ゴムローラ３００を排出ローラ５２に対して離間させることにより、排出ローラ５２と排出従動ローラ５４との間でシート状被記録物１１をニップする。
【００２８】
図３に示すように、排出ローラ５２及びゴムローラ３００よりも下流側には、ロール状被記録物２０２を切断するカット部２０８が設けられている。カット部２０８は、切断部の一例である。ユーザは、ロール状被記録物２０２が排出ローラ５２及びゴムローラ３００にニップされている状態で、ロール状被記録物２０２の端部をカット部２０８に押しつけることにより、ロール状被記録物２０２を端部から容易に切断することができる。カット部２０８は、例えば、排出従動ローラ５４及びゴムローラ３００を支持するフレーム２０９の下流側の端部に形成されている。このように、インクジェット式記録装置１０ａは、シート状被記録物１１を搬送する場合には、排出従動ローラ５４の複数の突起でシート状被記録物１１の被記録面に当接するので、記録後の被記録面を汚しにくい。一方で、ロール状被記録物２０２を搬送する場合には、排出ローラ５２及びゴムローラ３００でロール状被記録物２０２をニップするので、ロール状被記録物２０２を切断する場合に、ロール状被記録物２０２が滑りにくい。従ってロール状被記録物２０２をカット部２０８で容易に切断することができる。
【００２９】
図５は、インクジェット式記録装置１０の第２実施例を示す斜視図である。本実施例のインクジェット式記録装置１０ｂは、第１実施例のインクジェット式記録装置１０ａにおけるカートリッジ２００に代えて、カートリッジ２５０を備える。カートリッジ２５０は、ロール保持部の一例である。カートリッジ２５０は、ロール状被記録物２０２のロールの中心軸を、シート状被記録物１１を搬送する方向である副走査方向に向け、且つロール状被記録物２０２の被記録面を記録ヘッド４４と対向する位置に支持した状態で、ロール状被記録物２０２を保持する。カートリッジ２５０は、ロール状被記録物２０２の被記録面の一部を記録ヘッド４４と対向する位置に露出する開口部２５４を有している。
【００３０】
ロール搬送部２５６は、カートリッジ２５０に保持されているロール状被記録物２０２の中心軸を回転させることによって、ロール状被記録物２０２を主走査方向に搬送する。本実施例では、ロール搬送部２５６は、図５に示すインクジェット式記録装置１０ｂの右側にロール状被記録物２０２を搬送する。インクジェット式記録装置１０ｂの右側の側面には、ロール搬送部２５６により搬送されたロール状被記録物２０２が排出されるテープ排出口２５７が設けられている。テープ排出口２５７には、ロール状被記録物２０２を切断するカッターが設けられてもよい。付図示のカバーは、テープ排出口２５７と対向する位置にテープ排出口２５７よりも一回り大きい開口を有しており、テープ排出口２５７から排出されるロール状被記録物２０２をインクジェット式記録装置１０ｂの外部に排出する。他の構成は、第１実施例におけるインクジェット式記録装置１０ａと同様なので説明を省略する。
【００３１】
記録ヘッド４４は、副走査方向と平行に直線状に配列された複数のノズルのそれぞれから選択的にインクを噴射することにより被記録物に記録を行う。モータ４８は、ノズルの配列と直交する主走査方向に記録ヘッド４４を往復運動させる。プラテン１００は、記録ヘッド４４と対向する位置にシート状被記録物１１を支持する。搬送部３０は、シート状被記録物１１を、プラテン１００上において副走査方向に搬送する。制御部８０は、被記録物の種類を指定する設定情報を、例えばパーソナルコンピュータ等の入力装置から取得する。制御部８０は、当該設定情報に基づいてシート状被記録物１１に記録を行うか、ロール状被記録物２０２に記録を行うかを判断する。シート状被記録物１１に記録を行う場合、制御部８０は、モータ４８を制御して、シート状被記録物１１上で記録ヘッド４４を主走査方向に往復運動させつつ、搬送部３０を制御して、シート状被記録物１１を副走査方向に搬送させる。この間、記録ヘッド４４にノズル４５からインクを噴射させることによって、シート状被記録物１１に記録を行う。一方、ロール状被記録物２０２に記録を行う場合、モータ４８を制御して、ロール状被記録物２０２と対向する位置で記録ヘッド４４を停止させつつ、ロール搬送部２５６を制御して、ロール状被記録物２０２を主走査方向に搬送させる。この間、記録ヘッド４４に、ノズル４５からインクを噴射させることによって、ロール状被記録物２０２に記録を行う。このような動作によれば、ロール状被記録物２０２に記録を行う場合に記録ヘッド４４を往復運動させる必要がないので、動作音が低減すると共に記録速度が向上する。
【００３２】
カートリッジ２５０は、シート状被記録物１１がプラテン１００に支持される状態において、プラテン１００と共にシート状被記録物１１を支持する位置に設けられている。このような条件で、制御部８０は、モータ４８を制御して、カートリッジ２００及びプラテン１００に支持されているシート状被記録物１１上で記録ヘッド４４を往復運動させつつ、記録ヘッド４４を制御して、ノズルからインクを噴射させる。これにより、シート状被記録物１１の全体に記録を行う。このように、カートリッジ２５０をシート状被記録物１１が搬送される範囲内に設けることによりインクジェット式記録装置１０ｂの小型化が実現される。
【００３３】
図６は、本実施例のノズル４５と開口部２０４の関係を示す透視図である。記録ヘッド４４において、複数のノズル４５は、副走査方向と平行に直線状に配列されている。本図の例では、ノズル４５は、副走査方向と平行に４列設けられている。４列のノズル４５のそれぞれには、シアン、マゼンダ、イエロー、及びブラックの４色のいずれかの色が割り当てられている。カートリッジ２５０は、ロール状被記録物２０２の被記録面の一部を記録ヘッド４４のノズル４５と対向する位置に露出する開口部２０４を有している。制御部８０は、モータ４８を制御して、ノズル４５が開口部２０４と対向する位置に記録ヘッド４４を移動させる。この状態で、ロール搬送部２５６にロール状被記録物２０２を主走査方向に搬送させると共に、副走査方向に並ぶ複数のノズル４５のそれぞれから選択的にインクを噴射させることによって、ロール状被記録物２０２に所望のパターン及び文字等を記録する。上記の構成では、記録ヘッド４４がカートリッジ２５０の開口部２０４を介してロール状被記録物２０２にインクを噴射するので、シート状被記録物１１をカートリッジ２５０の上面に搬送する場合に、シート状被記録物１１がロール状被記録物２０２に引っかかることがない。
【００３４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３５】
【図１】インクジェット式記録装置１０の第１実施例を示す斜視図である。
【図２】インクジェット式記録装置１０の第１実施例を示す断面図である。
【図３】インクジェット式記録装置１０の第１実施例を示す断面図である。
【図４】ローラ切替部２１０の概念図を示す。
【図５】インクジェット式記録装置１０の第２実施例を示す斜視図である。
【図６】本実施例のノズル４５と開口部２０４の関係を示す透視図である。
【符号の説明】
【００３６】
１０  インクジェット式記録装置、１１  シート状被記録物、１２  被記録物トレイ、２０  給送部、２２  給送ローラ、２４  リタードローラ、３０  搬送部、３２  搬送ローラ、３４  搬送従動ローラ、４０  記録部、４２  キャリッジ、４４  記録ヘッド、４６  ガイド板、４８  モータ、５０  排出部、５２  排出ローラ、５４  排出従動ローラ、６０  ステップモータ、６２  ベルト、８０  制御部、１００  プラテン、２００  カートリッジ、２０２  ロール状被記録物、２０４  開口部、２０６  ロール軸、２０８  カット部、２０９  フレーム、２１０  ローラ切替部、２１２  押上部、２５０  カートリッジ、２５６  ロール搬送部、２５７  テープ排出口、３００  ゴムローラ、３０２  ローラ軸、３１０  付勢手段
【図１】
2006192665.tif 000003
【図２】
2006192665.tif 000004
【図３】
2006192665.tif 000005
【図４】
2006192665.tif 000006
【図５】
2006192665.tif 000007
【図６】
2006192665.tif 000008